(57)【要約】【課題】  他の電子部品ユニットと接続するハーネスの弛みを抑え、ハーネスを短縮し、遊技機の配線構造を簡素化し、又は、遊技機のメンテナンス性を向上させる。【解決手段】  サブ制御基板４０は、配線パターンが形成された配線基板６１と、この配線基板６１の一方の基板面６２に実装され、ハーネス４５の一端に設けられたハーネス側コネクタ６３と結合可能な基板側コネクタ６４と、前記配線基板の一方の基板面６２に実装される回路部品６５とを備える。配線基板６１は、基板側コネクタ６４の近傍の位置に、ハーネス４５が挿通される貫通孔４４が形成されている。これによりハーネス４５の弛みを抑え、ハーネス４５を短縮し、遊技機の配線構造を簡素化し、又は、遊技機のメンテナンス性を向上させる。【選択図】  図３
2006015056.tif 000002
【特許請求の範囲】
【請求項１】
配線パターンが形成された配線基板と、この配線基板に接続されたハーネスとを備える遊技機用回路基板であって、
前記ハーネスの少なくとも一部は、その一端側が前記配線基板の一方の基板面に接続されるとともに、その他端側が前記配線基板に交差する位置に配設されていることを特徴とする遊技機用回路基板。
【請求項２】
前記配線基板は、貫通孔が形成されており、前記ハーネスの少なくとも一部の他端側が前記貫通孔に挿通されていることを特徴とする請求項１に記載の遊技機用回路基板。
【請求項３】
前記配線基板は、切欠部が形成されており、前記ハーネスの少なくとも一部の他端側が前記切欠部に挿通されていることを特徴とする請求項１に記載の遊技機用回路基板。
【請求項４】
前記ハーネスの少なくとも一部の端側は、着脱可能なコネクタを介して前記配線基板の一方の基板面に接続されていることを特徴とする請求項１〜３の何れか１項に記載の遊技機用回路基板。
【発明の詳細な説明】
【技術分野】
【０００１】
本発明は、回路部品を実装するとともにハーネスを介して他の電子部品ユニットと電気的に接続する遊技機用回路基板に関する。
【背景技術】
【０００２】
従来より、スロットマシンには各種の回路基板が搭載されている。このような回路基板としては、例えば特許文献１に記載されているように、遊技の進行等を制御しつつ抽選等を行うメイン制御基板、サウンドの出力や液晶表示ユニットの映像表示等の演出を制御するサブ制御基板、及び電源の供給制御を行う電源制御基板等が挙げられる。これらの回路基板は、例えば、ハーネスの一端に設けられたハーネス側コネクタと結合する基板側コネクタを備えており、前記ハーネスを介して他の電子部品ユニット（例えば液晶表示ユニット）と接続するようになっている。
【０００３】
【特許文献１】特開２００３−３２５９１１号公報
【発明の開示】
【発明が解決しようとする課題】
【０００４】
しかしながら、上述した従来の回路基板によれば、ハーネスを介して接続する他の電子部品ユニットが配置される位置によっては、当該回路基板の基板面や当該回路基板に実装された回路部品がハーネスの配設の妨げになり、ハーネスに大きな迂回や湾曲をさせる必要が生じる場合がある。この場合には、ハーネスが一般的に長くなり、結果的にハーネスの配線途中に弛みが生じ易くなり、遊技機の配線構造が複雑になる。このため遊技機のメンテナンス性が低い等の問題が生じていた。
【０００５】
本発明は、こうした従来の問題に鑑みてなされたものであり、例えば、他の電子部品ユニットと接続するハーネスを短縮し、又は、遊技機のメンテナンス性を向上させる等が可能な遊技機用回路基板を提供することを目的としている。
【課題を解決するための手段】
【０００６】
上述した課題を解決するため、請求項１に記載の発明は、配線パターンが形成された配線基板と、この配線基板に接続されたハーネスとを備える遊技機用回路基板であって、前記ハーネスの少なくとも一部は、その一端側が前記配線基板の一方の基板面に接続されるとともに、その他端側が前記配線基板に交差する位置に配設されていることを特徴とする。
【０００７】
請求項２に記載の発明は、請求項１に記載の遊技機用回路基板であって、前記配線基板は、貫通孔が形成されており、前記ハーネスの少なくとも一部の他端側が前記貫通孔に挿通されていることを特徴とする。
【０００８】
請求項３に記載の発明は、請求項１に記載の遊技機用回路基板であって、前記配線基板は、切欠部が形成されており、前記ハーネスの少なくとも一部の他端側が前記切欠部に挿通されていることを特徴とする。
【０００９】
請求項４に記載の発明は、請求項１〜３の何れか１項に記載の遊技機用回路基板であって、前記ハーネスの少なくとも一部の端側は、着脱可能なコネクタを介して前記配線基板の一方の基板面に接続されていることを特徴とする。
【００１０】
請求項１に記載の遊技機用回路基板によれば、ハーネスの少なくとも一部の他端側が配線基板に交差する位置に配設されているので、当該ハーネスの弛みを抑え、例えば、当該ハーネスを短縮し、又は、遊技機用回路基板のメンテナンス性を向上させる等が可能になになる。
【００１１】
請求項２に記載の遊技機用回路基板によれば、ハーネスの少なくとも一部の他端側が貫通孔に挿通されて配線基板に交差する位置に配設されているので、当該ハーネスの弛みを抑え、例えば、当該ハーネスを短縮し、又は、遊技機用回路基板のメンテナンス性を向上させる等が可能になになる。
【００１２】
請求項３に記載の遊技機用回路基板によれば、ハーネスの少なくとも一部の他端側が切欠部に挿通されて配線基板に交差する位置に配設されているので、当該ハーネスの弛みを抑え、例えば、当該ハーネスを短縮し、又は、遊技機用回路基板のメンテナンス性を向上させる等が可能になになる。
【００１３】
請求項４に記載の遊技機用回路基板によれば、コネクタを介して前記配線基板の一方の基板面に接続されたハーネスの少なくとも一部の他端側が配線基板に交差する位置に配設されているので、当該ハーネスの弛みを抑え、例えば、当該ハーネスを短縮し、又は、遊技機用回路基板のメンテナンス性を向上させる等が可能になになる。
【発明の効果】
【００１４】
本発明に係る遊技機用回路基板によれば、例えば、他の電子部品ユニットと接続するハーネスの迂回や湾曲を減らし、ハーネスの弛みを抑えることができるので、ハーネスを短縮し、遊技機の配線構造を簡素化し、又は、遊技機のメンテナンス性を向上させる等の効果が得られる。
【発明を実施するための最良の形態】
【００１５】
以下、本発明に係る好適な一実施形態として回路基板を備えるスロットマシン（パチスロ機）とそのサブ制御基板を例に図面を参照して説明する。なお、図１はスロットマシン１の外観構造を表した斜視図、図２はスロットマシン１の内部構造を表した図、図３はスロットマシン１に設けられているサブ制御基板４０とハーネス４５の接続前の状態を示す斜視図、図４はサブ制御基板４０とハーネス４５の接続後の状態を示す斜視図である。
【００１６】
図１において、スロットマシン１は、箱状の筐体２と、当該筐体２と蝶番機構により開閉可能に取り付けられた前扉３とを備えている。
【００１７】
前扉３の遊技者に面する側は、視覚効果を高めてデザインされたいわゆる化粧板が形成されており、上部パネル部４と下部パネル部５に略区分けされる。上部パネル部４には、高輝度の発光ダイオード等を内部に備え光による演出を行う演出用照明部６と、スピーカを内部に備え演出効果音を発する演出用放音部７ａ、７ｂが左右にそれぞれ配設されている。また、各演出用放音部７ａ、７ｂの間には、透明な硬質プラスチック板等が嵌め込まれた略長方形の表示窓８が形成され、表示窓８を通して前扉３の裏面側に配置されている液晶表示ユニットの映像が目視される。
【００１８】
上部パネル部４のほぼ中央には、硬質プラスチックで形成されたパネル板が取り付けられている。パネル板の中央には略長方形の透明な表示窓９が形成されており、表示窓９を通して筐体２内に取り付けられている３個の円筒形状のリール１０ａ、１０ｂ、１０ｃが目視されるようになっている。
【００１９】
ここで、３個のリール１０ａ、１０ｂ、１０ｃはその回転軸方向に一列に並べて配置され、また、それぞれの外周面には複数種類の図柄が描かれている。遊技者は、表示窓９を通して一のリールに描かれた上下方向３個の図柄と、横方向に配列されたリール３列の図柄を目視することができる。そして、遊技者の操作に応じて各リール１０ａ、１０ｂ、１０ｃの回転及び停止の動作が行われ、これにより、表示されるリールの図柄の種類が変更されるようになっている。
【００２０】
また、上部パネル部４のパネル板には、ドットマトリクスＬＥＤ又はランプ等で形成された遊技情報表示部１１が配置されている。遊技情報表示部１１は、例えば、入賞役等への内部当選の状態、スロットマシン１にクレジットされているメダル数、又は入賞によって獲得したメダル数など、現在の遊技状態に関する情報を表示する。
【００２１】
上部パネル部４の両側部には、蛍光灯又は高輝度発光ダイオードを備える演出用照明部１２ａ、１２ｂが設けられている。
【００２２】
下部パネル部５には、遊技者側に向かいながら若干下方に傾斜した平面を有する操作卓が一体的に形成され、メダルを投入するための投入口を有するメダル投入部１３と、押しボタンスイッチであるベットボタン１４と、リール１０ａ、１０ｂ、１０ｃの回転動作を開始させるスタートレバー１５と、回転しているリール１０ａ、１０ｂ、１０ｃをそれぞれ停止させるための押しボタンスイッチであるストップボタン１６ａ、１６ｂ、１６ｃが設けられている。
【００２３】
すなわち、遊技者がベットボタン１４を押圧操作することで当該ゲームに賭けるメダル数を提示しスタートレバー１５を傾倒操作すると各リール１０ａ、１０ｂ、１０ｃが一斉に回転する。この時スロットマシン１は、当該ゲームの入賞に係る役（入賞役）の抽選を内部的な処理により行う。各リール１０ａ、１０ｂ、１０ｃが所定の回転数に達すると、ストップボタン１６ａ、１６ｂ、１６ｃによるリール停止操作が準備完了の状態となる。この状態で遊技者がストップボタン１６ａ、１６ｂ、１６ｃを任意の順序で押圧操作することにより、対応するリールがそれぞれ停止制御される。そして、停止した３個のリール１０ａ、１０ｂ、１０ｃによって表示される図柄が上述の抽選で当選した役に対応する組み合せで有効なライン上に揃うと入賞が確定し、その入賞役の種類に応じた枚数のメダルが遊技者に配当されるようになっている。
【００２４】
下部パネル部５の前面右側には、前扉３を開錠するための鍵が挿入される鍵穴１７が設けられている。スロットマシン１の管理者等が鍵穴１７に所定の鍵を挿入して開錠操作すると、蝶番機構によって筐体２に取り付けられている前扉３を前方へ開くことができ、また前扉３を筐体２側に閉じると、自動的にこれらを施錠するようになっている。
【００２５】
また、下部パネル部５には、スロットマシン１の型式（モデルタイプ）などを遊技者へ認識させるため、登場キャラクターなどの絵を表示するパネル１８が設けられている。
【００２６】
前扉３の下部には、入賞時にメダルを排出するためのメダル排出口１９と、排出されたメダルを貯留する受け皿２０とが設けられている。更にメダル排出口１９に隣接して、スピーカを内蔵する演出用放音部２１が設けられている。
【００２７】
次に、図２を参照して、筐体２の内部構造と前扉３の裏面構造とを説明する。なお、図２は、前扉３を筐体２から開いた状態を表している。同図において、筐体２内の上部には、スロットマシン１の全体動作を集中制御するＣＰＵ（マイコン）を備え硬質プラスチックのケースに収納された主制御基板３０が取り付けられている。
【００２８】
筐体２内の中央には、リール１０ａ、１０ｂ、１０ｃを備えるリールユニット１０が設けられている。リールユニット１０は、前扉３が筐体２側に閉じられると前扉３の表示窓９にリール１０ａ、１０ｂ、１０ｃが対向するように、所定フレームに位置決めされて取り付けられている。なお、各リール１０ａ、１０ｂ、１０ｃは、それぞれに内蔵されたステッピングモータによって回転駆動される。
【００２９】
また、リールユニット１０の上部には、各リールを回転駆動する上記ステッピングモータへ駆動パルス信号を送出する回胴制御基板（図示略）が取り付けられており、主制御基板３０が回胴制御基板にリール制御信号を送出することで、各リールの回転と制動及び停止の制御を行っている。
【００３０】
リールユニット１０の下方には、ホッパ装置３１と、ホッパ装置３１から溢れたメダルを収容するための補助貯留部３２と、主電源装置３３が設けられている。主電源装置３３の側面には、いわゆる配電盤に相当する電源装置基板３４が設けられている。更に、筐体２の上部右側の内壁に、遊技場に設置されている「ホールコンピュータ」と呼ばれる管理用コンピュータと接続可能な外部集中端子基板３５が取り付けられている。
【００３１】
次に、前扉３の裏面側上部には、演出用照明部６の光源である高輝度の発光ダイオード４１が複数配列されると共に、上述の演出用放音部７ａ、７ｂに対向してスピーカ４２ａ、４２ｂが取り付けられている。また、図２には示していないが、スピーカ４２ａ、４２ｂの間に上述の表示窓８が位置しており、液晶表示ユニット４３がその表示面を表示窓８に向けて取り付けられている。更に、液晶表示ユニット４３の裏面側には、回路基板で形成されたサブ制御基板４０が取り付けられている。
【００３２】
サブ制御基板４０には貫通孔４４が形成されている。この貫通孔４４には、ハーネス４５が挿入されている。ハーネス４５は、一端側がサブ制御基板４０の手前側の基板面に接続され、他端側が例えばスピーカ４２ａ、４２ｂや液晶表示ユニット４３に接続されている。
【００３３】
なお、スロットマシン１全体の動作は、筐体２側に設けられている主制御基板３０によって統括制御されており、サブ制御基板４０は、液晶表示ユニット４３による演出映像の表示制御、演出用照明部６、１２ａ、１２ｂを使った照明制御、及び演出用放音部７ａ、７ｂ、２１を使った演出効果音制御など、ゲームの演出に係る制御を主に行っている。
【００３４】
サブ制御基板４０の下方には、リール１０ａ、１０ｂ、１０ｃを目視させるための透明な表示窓９が形成されたパネル板が配置され、表示窓９の下方には、ストップボタン１６ａ、１６ｂ、１６ｃ等の操作スイッチ類の出力信号を主制御基板３０へ転送する中継基板として機能する中央表示基板４６が設けられている。
【００３５】
中央表示基板４６の下方には、メダル選別装置４７が取り付けられている。メダル選別装置４７は、メダル投入部１３に投入されるメダルの適否を判別し振り分ける装置である。また、メダル選別装置４７はメダルセンサを内蔵しており、ゲームの待機状態等において正規のメダルが投入され、メダルセンサがこのメダルを検出することによって、メダル投入の受け付けを示す信号を主制御基板３０へ送出する。
【００３６】
メダル選別装置４７の下方には、メダル選別装置４７によって振り分けられた正規のメダルを筐体２内に設けられているホッパ装置３１へ案内するガイド部材４８と、メダル選別装置４７により排除されたメダル（又は異物）をメダル排出口１９へ案内するガイド部材４９が設けられている。また、前扉３の裏面側下部には、ホッパ装置３１から排出されたメダルをメダル排出口１９へ案内するガイド部材５０が設けられている。更に、メダル排出口１９に隣接して、上述した演出用放音部２１に対向するスピーカ５１が取り付けられている。
【００３７】
次に、図３を参照して、サブ制御基板４０とハーネス４５の接続構造について説明する。
【００３８】
図３において、サブ制御基板４０は、配線パターンが形成された配線基板６１と、この配線基板６１の一方の基板面６２に実装され、ハーネス４５の一端に設けられたハーネス側コネクタ６３と結合可能な基板側コネクタ６４と、前記配線基板６１の一方の基板面６２に実装される回路部品６５とを備える。
【００３９】
配線基板６１は、基板側コネクタ６４の近傍の位置に、貫通孔４４が形成されている。
【００４０】
ここで、一方の基板面６２には、回路部品６５以外にも図示しない各種回路部品が実装されている。
【００４１】
次に、サブ制御基板４０についてさらに詳細に説明する。
【００４２】
基板側コネクタ６４は、複数の電極ピン６６と絶縁筐体６７とを備えている。絶縁筐体６７は、凹形状に形成され、その凹部６８を配線基板６１の側方に向けて配置している。凹部６８の内部には、複数の電極ピン６６が所定ピッチの一列で植設されている。複数の電極ピン６６先端側は、ハーネス側コネクタ６３との結合面側に設けられている。複数の電極ピン６６の基端側は、絶縁筐体６７の背面側から突出し、配線基板６１の配線パターンに接続されている。
【００４３】
次に、貫通孔４４についてさらに詳細に説明する。
【００４４】
貫通孔４４は、一方の基板面６２における基板側コネクタ６４の正面側の位置に長孔形状で形成されている。また、貫通孔４４は、ハーネス側コネクタ６３及びハーネス４５を挿入可能なサイズに形成されている。これにより、貫通孔４４は、ハーネス側コネクタ６３及びハーネス４５を、配線基板６１の他方の基板面６９側から一方の基板面６２側へ挿通させることが可能になっている。
【００４５】
次に、ハーネス４５側について更に詳細に説明する。
【００４６】
ハーネス４５は、一端側にハーネス側コネクタ６３を有し、他端側が配線基板６１の側方にあるスピーカ４２ａ、４２ｂ（図２参照）に接続されている。
【００４７】
ハーネス側コネクタ６３は、図示しないジャック端子と、凸形状に形成されたジャック絶縁体７０とを備えている。
【００４８】
ジャック絶縁体７０の先端面には複数の電極ピン挿入口７１が設けられている。複数の電極ピン挿入口７１は、ハーネス側コネクタ６３と基板側コネクタ６４が結合する場合に、それぞれ対応する電極ピン６６が差し込まれるようになっている。
【００４９】
複数の電極ピン挿入口７１の内部には、ジャック端子が植設されている。ジャック端子は、当該電極ピン挿入口７１に挿入された電極ピン６６と電気的に接続する。また、ジャック端子はハーネス４５と電気的に接続している。
【００５０】
ジャック絶縁体７０の基端側の外周には、フランジ部７２が形成されている。
【００５１】
次に、図３、図４を参照して、サブ制御基板４０とハーネス４５の接続方法について説明する。
【００５２】
図３において、まず、初期状態として、ハーネス４５の他端側がスピーカ４２ａ、４２ｂ（図２参照）に接続され、サブ制御基板４０がスロットマシン１（図２参照）に取り付けられる前の状態から説明する。
【００５３】
この状態から、作業者は、配線基板６１の一方の基板面６２を手前に向け、ハーネス側コネクタ６３及びハーネス４５の一端側を、配線基板６１の他方の基板面６９側から貫通孔４４に挿入し、一方の基板面６２側へ通過させる。
【００５４】
この後、作業者は、サブ制御基板４０の他方の基板面６９を液晶表示ユニット４３（図２参照）に向けて、サブ制御基板４０をスロットマシン１（図２参照）の筐体２（図２参照）内の液晶表示ユニット４３（図２参照）の裏面側に例えばねじ止めによって取り付ける。
【００５５】
次に、作業者は、基板側コネクタ６４の凹部６８に、ハーネス側コネクタ６３を差し込む。これにより、図４に示すように、基板側コネクタ６４とハーネス側コネクタ６３が配線基板６１の一方の基板面６２側で結合する。
【００５６】
この状態では、基板側コネクタ６４の複数の電極ピン挿入口７１（図３参照）には、ハーネス側コネクタ６３のそれぞれ対応する電極ピン６６（図３参照）が差し込まれ、複数の電極ピン挿入口７１に設けられたジャック端子には、それぞれ対応する電極ピン６６が電気的に接続される。これにより、ハーネス４５は、その一端側がハーネス側コネクタ６３と基板側コネクタ６４を介して前記配線基板６１の一方の基板面６２に接続されるとともに、その他端側が貫通孔４４に挿通され前記配線基板６１に交差する位置に配設される。サブ制御基板４０はハーネス４５を介してスピーカ４２ａ、４２ｂ（図２参照）と電気的に接続する。
【００５７】
尚、本実施形態では、遊技機用回路基板としてサブ制御基板４０を用いたが、主制御基板３０等、各種適用可能である。また、ハーネス４５を介して接続する他の電子部品ユニットとしてスピーカ４２ａ、４２ｂを用いたが、液晶表示ユニット４３、リールユニット１０等、各種適用可能である。さらに、ハーネス側コネクタ６３及び基板側コネクタ６４として複数の電極ピン６６が所定ピッチの一列で植設されているものに用いたが、複数の電極ピンが二列で植設されているもの等、各種適用可能である。
【００５８】
また、本実施形態では、配線基板６１の一方の基板面６２のみに基板側コネクタ６４及び回路部品６５を含む各種回路部品を実装しているが、他方の基板面６４にも基板側コネクタを含む回路部品を実装してもよい。
【００５９】
また、本実施形態では、全てのハーネス４５を貫通孔４４に挿通させたが、ハーネス４５の一部のみを貫通孔４４に挿通させ、ハーネス４５の一部のみの他端側が前記配線基板６１に交差する位置に配設されるようにしてもよい。
【００６０】
また、ハーネス４５の一部は、コネクタを介さず直接配線基板６１に接続するようにしてもよい。
【００６１】
かかる構成のサブ制御基板４０によれば、貫通孔４４によりハーネス４５を配線基板６１の一方の基板面６２から他方の基板面６９へ延出させることで、例えば、サブ制御基板４０とハーネス４５を介して接続する他の電子部品ユニット（スピーカ４２ａ、４２ｂ）が、配線基板６１の側方や奥方に配置される場合において、ハーネス４５の配設の際に配線基板６１や回路部品６５を容易に回避でき、ハーネス４５の迂回や湾曲を減らして、ハーネス４５の弛みを抑えハーネス４５を短縮することができる。これにより、スロットマシン１の内部のハーネスを収納する空間を縮小し、スロットマシン１の配線構造を簡素化し、サブ制御基板４０のメンテナンス性を向上させる等の効果が得られる。
【００６２】
以下、本発明に係る好適な他の実施形態としてサブ制御基板を例に図面を参照して説明する。なお、図５はサブ制御基板８０とハーネス４５の接続前の状態を示す斜視図、図６はサブ制御基板８０とハーネス４５の接続後の状態を示す斜視図である。ここで、図５、図６を用いた他の実施形態の説明において、図３、図４に示した実施形態と同様の構成要素には同じ符号を付して説明を省略している。
【００６３】
図５において、サブ制御基板８０は、配線基板８１の一方の基板面８２のみに基板側コネクタ６４及び回路部品６５を含む回路部品を実装している。配線基板８１の他方の基板面８３には、配線が形成されているが、回路部品６５は実装されていない。
【００６４】
サブ制御基板８０についてさらに詳細に説明する。
【００６５】
基板側コネクタ６４の絶縁筐体６７は、その凹部６８を配線基板８１の一辺に向けて配置している。
【００６６】
基板側コネクタ６４の電極ピン６６の基端側は、絶縁筐体６７の背面側から突出し、配線基板８１の配線パターンに接続されている。
【００６７】
配線基板８１は、当該配線基板８１の一辺の縁から、前記基板側コネクタ６４の近傍（例えば基板側コネクタ６４の先端）の位置まで切欠部８４が形成されている。この切欠部８４は、ハーネス４５を挿入可能なサイズに形成されている。
【００６８】
次に、図５、図６を参照して、サブ制御基板８０とハーネス４５の接続方法について説明する。
【００６９】
図５において、まず、初期状態として、ハーネス４５の他端側がスピーカ４２ａ、４２ｂ（図２参照）に接続され、サブ制御基板８０がスロットマシン１（図２参照）に取り付けられる前の状態から説明する。
【００７０】
この状態から、作業者は、配線基板８１の一方の基板面８２を手前に向け、ハーネス４５の一端側を、配線基板８１の一辺の縁から切欠部８４に挿入し、一方の基板面８２側へハーネス側コネクタ６３を移動させる。これにより、配線基板８１の切欠部８４には、前記ハーネス４５の他端側が挿通されている。
【００７１】
次に、作業者は、サブ制御基板８０を筐体２（図２参照）内の液晶表示ユニット４３（図２参照）の裏面側に例えばねじ止めによって取り付ける。
【００７２】
この後、作業者は、基板側コネクタ６４の凹部６８に、ハーネス側コネクタ６３を差し込む。これにより、図６に示すように、基板側コネクタ６４とハーネス側コネクタ６３が配線基板８１の一方の基板面８２側で結合する。これにより、サブ制御基板８０はハーネス４５を介してスピーカ４２ａ、４２ｂ（図２参照）に電気的に接続される。
【００７３】
尚、本実施形態では、配線基板８１の一方の基板面８２のみに基板側コネクタ６４及び回路部品６５を含む回路部品を実装しているが、他方の基板面８３にも基板側コネクタを含む回路部品を実装してもよい。また、本実施形態では、全てのハーネス４５を切欠部８４に挿通させたが、ハーネス４５の一部のみを切欠部８４に挿入し、ハーネス４５の一部のみの他端側が前記配線基板８１に交差する位置に配設されるようにしてもよい。
【００７４】
かかる構成のサブ制御基板８０によれば、切欠部８４にハーネス４５を挿入することで、例えば、サブ制御基板８０とハーネス４５を介して接続する他の電子部品ユニット（スピーカ４２ａ、４２ｂ）が、配線基板８１の側方や奥方に配置される場合において、ハーネス４５の迂回や湾曲を減らして、ハーネス４５の弛みを抑え、ハーネス４５を短縮することができ、又は、メンテナンス性を向上させる等、図３、図４に示した実施形態と同様の効果が得られる。
【００７５】
以下、本発明に係る好適なもう一つの他の実施形態としてスロットマシン用のサブ制御基板を例に図７の図面を参照して説明する。図７はサブ制御基板９０を示す斜視図である。
【００７６】
図７において、サブ制御基板９０は、配線基板９１の手前側の一方の基板面９２のみに回路部品６５を実装している。配線基板９１の他方の基板面９３には、配線パターンが形成されているが、回路部品６５を実装していない。配線基板９１の一方の基板面９２には複数の半田付けランド９４が設けられている。複数の半田付けランド９４は、配線基板９１の対応する配線パターンに接続されている。
【００７７】
また、配線基板９１には貫通孔９５が形成されている。この貫通孔９５は、一方の基板面９２における複数の半田付けランド９４の近傍の位置に、ハーネス９６を挿入可能な大きさの長辺形状で形成されている。
【００７８】
ハーネス９６の一端側は、各配線の先端から露出する導体線が対応する半田付けランド９４に半田付けで接続されている。これにより、前記ハーネス９６は、その一端側が前記配線基板９１の一方の基板面９２に接続される。ハーネス９６の他端側は、貫通孔９５に挿通され前記配線基板９１に交差する位置に配設されている。
【００７９】
さらに、ハーネス９６の他端側は、例えばコネクタを介してサブ制御基板９０の奥方に配置するスピーカ４２ａ、４２ｂ（図２参照）に接続されるようになっている。
【００８０】
尚、本実施形態では、全てのハーネス９６を貫通孔９５に挿通させたが、ハーネス９６の一部のみを貫通孔９５に挿通させ、ハーネス９６の一部のみの他端側が前記配線基板９１に交差する位置に配設されるようにしてもよい。
【００８１】
かかる構成のサブ制御基板９０によれば、貫通孔９５にハーネス９６を挿通させることで、例えば、サブ制御基板９０とハーネス９６を介して接続する他の電子部品ユニット（スピーカ４２ａ、４２ｂ）が、配線基板８１の側方や奥方に配置される場合において、ハーネス９６を短縮することができ、又は、メンテナンス性を向上させる等、図３、図４に示した実施形態と同様の効果が得られる。
【００８２】
以下、本発明に係る好適なさらにもう一つの他の実施形態としてスロットマシン用のサブ制御基板を例に図面を参照して説明する。図８はサブ制御基板１００を示す斜視図である。ここで、図８を用いたさらにもう一つの他の実施形態の説明において、図７に示した実施形態と同様の構成要素には同じ符号を付して説明を省略している。
【００８３】
図８において、サブ制御基板１００は、配線基板１０１の手前側の一方の基板面１０２のみに回路部品６５を実装し、配線基板１０１の他方の基板面１０３には、回路部品６５を実装していない。配線基板１０１の一方の基板面１０２には複数の半田付けランド９４が設けられている。配線基板１０１には、当該配線基板１０１の一辺の縁から、前記半田付けランド９４の近傍の位置まで切欠部１０４が形成されている。この切欠部１０４は、ハーネス９６を挿入可能なサイズに形成されている。
【００８４】
ハーネス９６は、切欠部１０４に挿通されているとともに、その一端側が各配線が対応する半田付けランド９４に半田付けで接続されている。これにより、前記ハーネス９６は、その一端側が前記配線基板１０１の一方の基板面１０２に接続されるとともに、その他端側が前記配線基板１０１に交差する位置に配設されている。
【００８５】
ハーネス９６の他端側は、例えばコネクタを介してサブ制御基板１００の奥方に配置するスピーカ４２ａ、４２ｂ（図２参照）に接続されるようになっている。
【００８６】
尚、本実施形態では、全てのハーネス９６を切欠部１０４に挿通させたが、ハーネス９６の一部のみを切欠部１０４に挿通させ、ハーネス９６の一部のみの他端側が前記配線基板１０１に交差する位置に配設されるようにしてもよい。
【００８７】
かかる構成のサブ制御基板１００によれば、切欠部１０４にハーネス９６を挿通させているので、図７に示した実施形態と同様の効果が得られる。
【産業上の利用可能性】
【００８８】
本発明は、スロットマシンのサブ制御基板に限らず、スロットマシンの主制御基板、パチンコ機やその他の遊技機における回路基板にも応用することができる。
【図面の簡単な説明】
【００８９】
【図１】図１は、本発明の一実施形態によるスロットマシンの外観構造を表した斜視図である。
【図２】図２は、本発明の一実施形態によるスロットマシンの内部構造を表した図である。
【図３】図３は、本発明の一実施形態によるスロットマシンに設けられているサブ制御基板とハーネスの接続前の状態を示す斜視図である。
【図４】図４は、本発明の一実施形態によるスロットマシンに設けられているサブ制御基板とハーネスの接続後の状態を示す斜視図である。
【図５】図５は、本発明の他の実施形態によるスロットマシンに設けられているサブ制御基板とハーネスの接続前の状態を示す斜視図である。
【図６】図６は、本発明の他の実施形態によるスロットマシンに設けられているサブ制御基板とハーネスの接続後の状態を示す斜視図である。
【図７】図７は、本発明のもう一つ他の実施形態によるスロットマシンに設けられているサブ制御基板を示す斜視図である。
【図８】図８は、本発明のさらにもう一つ他の実施形態によるスロットマシンに設けられているサブ制御基板を示す斜視図である。
【符号の説明】
【００９０】
１…  スロットマシン、  ２…筐体、  ３…前扉、
６…演出用照明部、  ７ａ、７ｂ…演出用放音部、
１０ａ、１０ｂ、１０ｃ…リール、
１２ａ、１２ｂ…演出用照明部、  １３…メダル投入部、
１４…ベットボタン、  １５…スタートレバー、
１６ａ、１６ｂ、１６ｃ…ストップボタン、
１９…メダル排出口、  ２０…受け皿、  ２１…演出用放音部、
３０…主制御基板、  ３１…ホッパ装置、
４０、８０、９０、１００…サブ制御基板、  ４１…発光ダイオード、
４２ａ、４２ｂ、５１…スピーカ、  ４３…液晶表示ユニット、
４４、９５…貫通孔、４５、９６…ハーネス、４６…メダル選別装置、
６１、８１、９１、１０１…配線基板、
６２、８２、９２、１０２…一方の基板面、
６３…ハーネス側コネクタ、６４…基板側コネクタ、
６６…電極ピン、６７…絶縁筐体、６８…凹部、
６９、８３、９３、１０３…他方の基板面、７０…ジャック絶縁体、
７１…電極ピン挿入口、８４、１０４…切欠部、
９４…半田付けランド
【図１】
2006015056.tif 000003
【図２】
2006015056.tif 000004
【図３】
2006015056.tif 000005
【図４】
2006015056.tif 000006
【図５】
2006015056.tif 000007
【図６】
2006015056.tif 000008
【図７】
2006015056.tif 000009
【図８】
2006015056.tif 000010